(57)【特許請求の範囲】
【請求項１】
軒樋の耳部をスライド自在に嵌め込んで支持するための上横片部と縦片部と下横片部とを備えた略コ字状をした耳部支持部を設けた軒樋吊り具であって、
上記軒樋吊り具の耳部支持部が帯状の金属板を略コ字状に折曲げることで形成され、
該耳部支持部の下横片部の、軒樋の長手方向と平行な巾方向中央部に、上記縦片部からの突出基部から先端にわたって上方に向けて凸曲成した中央凸曲部が形成されると共に、
該中央凸曲部の巾方向の両端がアール形状に形成されており、
この中央凸曲部の上面の先端には、下方に向けて一体に折り曲げて形成された案内片が設けられている
ことを特徴とする軒樋吊り具。
【発明の詳細な説明】
【技術分野】
【０００１】
本発明は、軒樋の耳部をスライド自在に嵌め込んで支持するための耳部支持部を備えた軒樋吊り具に関するものである。
【背景技術】
【０００２】
従来から、軒樋の耳部をスライド自在に嵌め込んで支持するための耳部支持部を備えた軒樋吊り具が特許文献１、特許文献２、特許文献３等により知られている。
【０００３】
これらの特許文献１乃至特許文献３に示された従来の軒樋吊り具は、その主体が帯状の金属板を折り曲げ加工することで形成してある。
【０００４】
そして、このような帯状の金属板を折り曲げ加工することで形成された従来の軒樋吊り具４は、図４、図５のように帯状の金属板を長手方向に折り曲げて耳部支持部３を形成すると共に、更に、帯状の金属板の長手方向に沿った両側端縁部（軒樋の長手方向の平行な方向の両側端縁部）の全長を内側に折り曲げて両端部にリブ１２を一体に形成するリブ付きタイプのものと、図６乃至図８のように単に帯状の金属板を長手方向に折り曲げて耳部支持部３を形成したリブ無しタイプのものとに大別される。
【０００５】
図４、図５に示すリブ付きタイプのものは、図６乃至図８に示すリブ無しタイプのものに比べて、強度が強く、大型の軒樋１を吊り下げ支持するのに適している。この前者のリブ付きタイプの従来例は、略コ字状をした耳部支持部３に軒樋１の耳部２を嵌め込んで略コ字状の耳部支持部３の下横片部５で耳部２の下面部２ａを支持するのであるが、実際は、下横片部５の巾方向の両端部に上方に向けて突出するリブ１２の先端縁に耳部２の下面部２ａが載置されることになる。ところで、リブ１２の先端縁は帯状の金属板の巾方向の両側端縁（つまり、帯状の金属板の切断端であるエッジ部２１）であるため、耳部２の下面部２ａは帯状の金属板のエッジ部２１上に載置されることになる。
【０００６】
したがって、上記従来例にあっては、施工時に耳部支持部３に嵌め込んだ耳部２を長手方向にスライドさせる際、あるいは、施工後に、軒樋１の伸縮により耳部支持部３内に嵌め込んだ耳部２がスライドしようとする際、耳部２の下面部２ａが上記リブ１２の先端縁のエッジ部２１に引っ掛かってスライド性が悪いという問題がある。また、スライドにより耳部２の下面部２ａにリブ１２の先端縁のエッジ部２１で引っ掻かれた引っ掻き傷ができるという問題がある。
【０００７】
一方、図６乃至図８に示すリブ無しタイプのものは、略コ字状をした耳部支持部３に軒樋１の耳部２を嵌め込んで略コ字状の耳部支持部３の下横片部５で耳部２の下面部２ａを面接触で支持して耳部２のスライド性がよい場合もあるが、隣り合う軒樋吊り具４のレベルが合っていないと、図８のように、軒樋１が下横片部５の側端縁（つまり、帯状の金属板の巾方向の端縁であるエッジ部２１）に載置されることになり、このため、施工時に耳部支持部３に嵌め込んだ耳部２を長手方向にスライドさせる際、あるいは、施工後に、軒樋１の伸縮により耳部支持部３内に嵌め込んだ耳部２が図８の矢印方向にスライドしようとする際、耳部２の下面部２ａが上記リブ２１の先端縁のエッジ部２１に引っ掛かってスライド性が悪いという問題がある。また、スライドにより耳部２の下面部２ａにリブ２１の先端縁のエッジ部２１で引っ掻かれた引っ掻き傷ができるという問題がある。
【０００８】
また、図６乃至図８に示すリブ無しタイプのものは、図４、図５に示すリブ付きタイプのものに比べて支持強度が弱いという問題もある。
【特許文献１】特開２００２−２７６１０１号公報
【特許文献２】特開平７−２１７１２１号公報
【特許文献３】実開平７−６２８２号公報
【発明の開示】
【発明が解決しようとする課題】
【０００９】
本発明は上記の従来の問題点に鑑みて発明したものであって、軒樋の耳部のスライド性がよく、しかも、耳部支持部の強度も強い軒樋吊り具を提供することを課題とするものである。
【課題を解決するための手段】
【００１０】
上記課題を解決するために本発明に係る軒樋吊り具は、軒樋１の耳部２をスライド自在に嵌め込んで支持するための上横片部１１と縦片部１３と下横片部５とを備えた略コ字状をした耳部支持部３を設けた軒樋吊り具４であって、上記軒樋吊り具４の耳部支持部３が帯状の金属板を略コ字状に折曲げることで形成され、該耳部支持部３の下横片部５の、軒樋１の長手方向と平行な巾方向中央部に、上記縦片部１３からの突出基部から先端にわたって上方に向けて凸曲成した中央凸曲部６が形成されると共に該中央凸曲部６の巾方向の両端がアール形状に形成されており、この中央凸曲部６の上面の先端には、下方に向けて一体に折り曲げて形成された案内片２０が設けられていることを特徴とするものである。
【００１１】
このような構成とすることで、軒樋１の耳部２を耳部支持部３に嵌め込んで支持した状態で、耳部２の下面部２ａは耳部支持部３の下横片部５の巾方向中央部の中央凸曲部６上に載置して支持されることになり、軒樋１がスライドする際、耳部２の下面部２ａは中央凸曲部６上をスライドするので、耳部２の下面部２ａは下横片部５の側端縁のエッジ部に当らず、エッジ部に引っ掛かることなく、スムーズにスライドすることができる。また、この際、隣合う軒樋吊り具４のレベルが合っていない場合は、耳部２の下面部２ａは中央凸曲部６の巾方向の端部のアール形状となった部分に当接して支持されるため、引っ掛かることなくスムーズにスライドすることができる。また、下横片部５の巾方向中央部に上方に向けて凸曲成した中央凸曲部６を形成することで、軒樋１の耳部２を支持するための耳部支持部３の強度が向上する。
【発明の効果】
【００１２】
本発明は、上記のように、耳部支持部の下横片部の巾方向中央部に上方に向けて凸曲成した中央凸曲部を形成すると共に該中央凸曲部の巾方向の両端をアール形状に形成しているので、軒樋の耳部のスライド性がよく、しかも、耳部支持部の強度も強くなる。
【発明を実施するための最良の形態】
【００１３】
以下、本発明を添付図面に示す実施形態に基いて説明する。
【００１４】
軒樋吊り具４の主体を構成する軒樋吊り具本体８は、帯状の金属板をプレスにより折り曲げ加工して形成してある。図１に示すように、軒樋吊り具本体８は、長手方向の中央片部９の両端部がそれぞれ上斜め外方に向けて突出した傾斜片部１０となり、両傾斜片部１０の先端部に略コ字状をした耳部支持部３を形成してある。
【００１５】
軒樋吊り具本体８は、両耳部支持部３の縦片部１３の大部分と下横片部５を除いて、中央片部９の巾方向の両端部、両傾斜片部１０の巾方向の両端部、両耳部支持部３の上横片部１１の巾方向の両端部にわたって、巾方向の両端部が内側（下方）に向けて折り曲げてあってリブ１２が形成してある。
【００１６】
略コ字状をした耳部支持部３の縦片部１３の大部分（上端部を除く部分）と下横片部５には、巾方向中央部（ここで、下横片部５の巾方向とは、軒樋１の長手方向と平行な方向を巾方向とする）を上方に向けて凸曲成するように屈曲させることで中央凸曲部６が形成してある。
【００１７】
上記中央凸曲部６は巾方向の両端部が図２に示すようにアール形状に形成されたコーナ曲面部１４となっている。
【００１８】
また、両耳部支持部３のうち一方の耳部支持部３の中央凸曲部６の下横片部５の先端に対応する部位から下方に向けて案内片２０が一体に折り曲げて形成してある。
【００１９】
上記の構成の軒樋吊り具本体８の中央片部９の中央部には吊りボルト１５の下端部がナット１６により固着してある。
【００２０】
また、軒樋吊り具本体８の中央片部９の下面部の両端部にはそれぞれ弾性を有する外れ防止片１７の後端部が固着具１８により固着してあり、外れ防止片１７の先端部が下横片部５の先端部に小隙間を介して略対向している。
【００２１】
上記の構成の軒樋吊り具４は軒樋１を建物の屋根の軒先に吊り下げ支持するために用いられる。
【００２２】
本発明の軒樋吊り具４で吊り下げ支持する軒樋１は上方が開口する断面略Ｕ字状をしており、両側片の上端部にそれぞれ耳部２を設けて構成してある（図の実施形態では両側片の上端に外側方に突出する耳部２を設けて構成してある）。
【００２３】
施工に当っては、上記軒樋吊り具４の吊りボルト１５を建物の屋根の軒先（例えば折版屋根の端部）に取付け、軒樋１の一側部の耳部２を軒樋吊り具４の一方の略コ字状をした耳部支持部３の下横片部５の先端部と弾性を有する外れ防止片１７の先端部との間から押し込み、外れ防止片１７を変形させることで、該一側部の耳部２を略コ字状をした耳部支持部３内に嵌め込む。
【００２４】
次に、軒樋１の他側部の耳部２を軒樋吊り具４の他方の略コ字状をした耳部支持部３の下横片部５の先端部の下方に垂設した案内片２０に沿って上方に押し上げて、弾性を有する他方の外れ防止片１７を上方に変形させながら該外れ防止片１７の先端部と耳部支持部３の下横片部５の先端部との間の小隙間から上方に押し込んで、該他側部の耳部２を略コ字状をした他の耳部支持部３内に嵌め込む。
【００２５】
両耳部支持部３内に嵌め込まれた両耳部２はそれぞれ下面部２ａが耳部支持部３の下横片部５の巾方向中央部の中央凸曲部６上に載置して支持されることになる。
【００２６】
このように、本発明においては、耳部支持部３内に嵌め込まれた耳部２の下面部２ａが耳部支持部３の下横片部５の巾方向中央部の中央凸曲部６上に載置して支持されるので、施工の際に軒樋１をスライドする際、あるいは、施工後の軒樋１の伸縮により軒樋１がスライドする際、耳部２の下面部２ａは中央凸曲部６上をスライドすることになり、耳部２の下面部２ａは下横片部５の側端縁のエッジ部に当らず、エッジ部に引っ掛かることなく、スムーズにスライドすることができることになる。
【００２７】
また、この際、図３に示すように隣合う軒樋吊り具４のレベルが合っていない場合は、耳部２の下面部２ａは中央凸曲部６の巾方向の端部のアール形状となったコーナ曲面部１４に当接して支持されることになり、このため、施工の際に軒樋１をスライドする際、あるいは、施工後の軒樋１の伸縮により軒樋１がスライドする際、軒樋１が引っ掛かることなくスムーズにスライドすることができる。なお、図３における矢印は軒樋１のスライド方向を示す。
【００２８】
したがって、施工性が向上し、また、施工後に軒樋１が伸縮する際に軒樋１がエッジに引っ掛かることで変形したりすることがなく、また、スライドする際、エッジ部に擦られることで、軒樋１が傷付くことがない。
【００２９】
しかも、下横片部５の巾方向中央部に上方に向けて凸曲成した中央凸曲部６を形成することで、この中央凸曲部６が補強リブの役目をして軒樋１の耳部２を支持するための耳部支持部３の強度が向上するものである。
【図面の簡単な説明】
【００３０】
【図１】本発明の軒樋吊り具に軒樋を吊り下げ支持している状態の正面図である。
【図２】（ａ）は同上の耳部支持部の拡大斜視図であり、（ｂ）は下横片部の断面図である。
【図３】同上の隣合う軒樋吊り具のレベルが異なる場合に軒樋の耳部を中央凸曲部の巾方向の端部のアール形状となったコーナ曲面部上に載置している説明図である。
【図４】従来例の軒樋吊り具に軒樋を吊り下げ支持している状態の正面図である。
【図５】（ａ）は同上の従来例の耳部支持部の斜視図であり、（ｂ）は耳部支持部の断面図である。
【図６】他の従来例の軒樋吊り具に軒樋を吊り下げ支持している状態の正面図である。
【図７】（ａ）は同上の従来例の耳部支持部の斜視図であり、（ｂ）は耳部支持部の断面図である。
【図８】同上の他の従来例における隣合う軒樋吊り具のレベルが異なる場合に軒樋の耳部を中央凸曲部の巾方向の端部のアール形状となったコーナ曲面部上に載置している説明図である。
【符号の説明】
【００３１】
１  軒樋
２  耳部
３  耳部支持部
４  軒樋吊り具
５  下横片部
６  中央凸曲部
【図１】
0005166825.tif 000002
【図２】
0005166825.tif 000003
【図３】
0005166825.tif 000004
【図４】
0005166825.tif 000005
【図５】
0005166825.tif 000006
【図６】
0005166825.tif 000007
【図７】
0005166825.tif 000008
【図８】
0005166825.tif 000009